(57)【要約】  【課題】  電気接続箱の電線挿通用開口部の防水性を簡単な構造で高める。  【解決手段】  ケース本体１１にロアカバー１２が被せられ、ロアカバー１２の周壁１２ａに上端開口１３ａを下方へ延在する長尺なワイヤハーネス挿通用の開口１３が形成され、該開口１３に上方から摺動自在に挿入する防水カバー２０を設け、防水カバー２０の上部側に一側面よりワイヤハーネス挿通用の切欠２１を設けており、ケース本体１１の下面側に接続される第１ワイヤハーネスＷ１が開口１３の下端部１３ｂに通されると共に、該第１ワイヤハーネスＷ１の上部に防水カバー２０が取り付けられ、前記ケース本体１１の上面側に接続した第２ワイヤハーネスＷ２が防水カバー２０の切欠２１に通され、ロアカバー１２の開口１３は上下に第２ワイヤハーネスＷ２と第１ワイヤハーネスＷ１を通した状態で防水カバー２０により閉鎖されている。  【選択図】  図２
2006074893.tif 000002
【特許請求の範囲】
【請求項１】
被水領域に配置される電気接続箱であって、
ケース本体にロアカバーが被せられ、該ロアカバーの周壁に上端開口で下方へ延在する長尺なワイヤハーネス挿通用の開口が形成され、該開口に上方から摺動自在に挿入する防水カバーを設け、該防水カバーに一側縁よりワイヤハーネス挿通用の切欠を設けており、
前記ケース本体の下方から該ケース本体の内部回路に接続される第１ワイヤハーネスが前記開口内の下部に通されると共に、該第１ワイヤハーネスの上部に前記防水カバーが取り付けられ、
前記ケース本体の上面に形成されたコネクタ嵌合部に嵌合されるコネクタを端末に接続した第２ワイヤハーネスが、前記防水カバーの切欠に通され、
前記ロアカバーの前記ワイヤハーネス挿通用の開口が、上下に第２ワイヤハーネスと第１ワイヤハーネスを通した状態で前記防水カバーにより閉鎖されている電気接続箱。
【請求項２】
前記防水カバーには、切欠の上端縁に沿ってテープ巻き舌片が突設され、第２ワイヤハーネスは該テープ巻き舌片とテープ巻き固定されている請求項１に記載の電気接続箱。
【請求項３】
前記防水カバーの上端側にロック部が設けられ、該ロック部を前記ロアカバーに設けられた被ロック部とロック結合させている請求項１または請求項２に記載の電気接続箱。
【発明の詳細な説明】
【技術分野】
【０００１】
本発明は、自動車の被水領域に搭載される電気接続箱に関し、詳しくは、電気接続箱に形成される電線挿通口の防水構造に関するものである。
【背景技術】
【０００２】
自動車のエンジンルーム等の被水領域に搭載される電気接続箱は、従来より、電気接続箱に接続されるワイヤハーネスを外部に引き出すための挿通口がカバー外壁に設けられ、該挿通口に防水カバーを取り付けて水の浸入を防止している。
この種の電気接続箱に接続されるワイヤハーネスには、ケース本体の上面に設けたコネクタに接続されるワイヤハーネスと、ケース本体の下面から接続するワイヤハーネスとがあり、ケース本体に対して上下に方向からワイヤハーネスが取り付けられる場合がある。
【０００３】
このような上下方向からそれぞれワイヤハーネスを接続する場合、上下のワイヤハーネスを１箇所の挿通口を通すと、上下ワイヤハーネスの少なくとも一方を迂回させる必要があるため電線の余長が生じるとともに、電気接続箱内にワイヤハーネスの迂回スペースを要し、電気接続箱の小型化の障害となる。
【０００４】
前記問題に対して、図６に示すように、カバー１の外壁に、上下に長い一つの挿通口２を設け、この挿通口２の上部２ａから上面側のワイヤハーネスを引き出し、下部２ｂから下面側のワイヤハーネスを引き出すことも考えられる。この場合、上下のワイヤハーネスをそれぞれ最短距離で引き出すことができるうえ、電気接続箱内に迂回スペースを設ける必要もない。しかしながら、特に、カバー１が上下に深い場合、図示のように上下のワイヤハーネスの引き出し位置も離れるため、上下ワイヤハーネスの間で挿通口に隙間Ｓが生じ、防水性を確保できない点に問題がある。
【０００５】
また、従来、特許第３０５４３５８号（特許文献１）では、図７（Ａ）（Ｂ）に示すように、電気接続箱３のケース本体４の下面側に被せるロアカバー５の側壁に、上端から下端までを切り欠いた電線挿通口６を設け、ロアカバー５の底壁に形成された電線引出穴７と連続一体化させた構造が提供されている。この構造では、ケース本体４にロアカバー５を取り付けるときに、電線挿通口６の両側に設けた支持溝部６ａに、ケース本体４のガイド部４ａを挿入して取り付け、電線挿通口６の下半分を該ガイド部４ａで閉鎖している。且つ、電線挿通口６にさらに防水カバー８を上から挿入して電線挿通口６の上半分を防水カバー８の蓋部８ａで閉鎖している。ケース本体４の下面側から引き出されたワイヤハーネスｗ１は電線引出穴７から外部に引き出すともに、ケース本体４の上面から引き出されるワイヤハーネスｗ２を防水カバー８のワイヤハーネスガイド８ｂで案内して下方へと引き出している。
【０００６】
この電気接続箱３は、同一の電線挿通口６の上下に離れた位置から上面側のワイヤハーネスｗ２と下面側のワイヤハーネスｗ１を引き出しながらも、該挿通口６をケース本体４と防水カバー８の二部材で閉鎖して防水性を確保している。
しかしながら、上面側のワイヤハーネスｗ２も下方へと引き出しているため、ワイヤハーネスｗ２が長くなり、且つ、ワイヤハーネスガイド部８ｂが外部に突出するため大型化し、配置スペースが限られている場合には採用しずらいものとなる。
【特許文献１】特許第３０５４３５８号公報
【発明の開示】
【発明が解決しようとする課題】
【０００７】
本発明は前記問題に鑑みてなされたもので、ケース本体の上面に接続されるワイヤハーネスは上方へ、ケース本体の下面に接続されるワイヤハーネスは下方へ、それぞれ引き出すようにして、ワイヤハーネスの配線長さを短くすると共に電気接続箱の大型化を抑制することを課題としている。
【課題を解決するための手段】
【０００８】
前記課題を解決するために、本発明は、被水領域に配置される電気接続箱であって、
ケース本体にロアカバーが被せられ、該ロアカバーの周壁に上端開口で下方へ延在する長尺なワイヤハーネス挿通用の開口が形成され、該開口に上方から摺動自在に挿入する防水カバーを設け、該防水カバーに一側縁よりワイヤハーネス挿通用の切欠を設けており、
前記ケース本体の下方から該ケース本体の内部回路に接続される第１ワイヤハーネスが前記開口内の下部に通されると共に、該第１ワイヤハーネスの上部に前記防水カバーが取り付けられ、
前記ケース本体の上面に形成されたコネクタ嵌合部に嵌合されるコネクタを端末に接続した第２ワイヤハーネスが、前記防水カバーの切欠に通され、
前記ロアカバーの前記ワイヤハーネス挿通用の開口が、上下に第２ワイヤハーネスと第１ワイヤハーネスを通した状態で前記防水カバーにより閉鎖されている電気接続箱を提供している。
【０００９】
前記構成によれば、ケース本体に被せるロアカバーが上下に深い場合であっても、ワイヤハーネス挿通用の開口の下端部から第１ワイヤハーネスを引き出し、上方から第２ワイヤハーネスを引き出し、この第１、第２ワイヤハーネス間の隙間と、第２ワイヤハーネスの上部の隙間とを、一つの防水カバーのみで閉鎖することができる。従って、上下のワイヤハーネスを最短距離でケース本体に接続できると共に防水性能も確保できる。かつ、ロアカバーも大型化せず、電気接続箱の設置スペースを増大させることを防止できる。
【００１０】
さらに、前記第１ワイヤハーネスは、ケース本体の下面側に接続された状態で前記開口に上端開口からスライドさせて挿入でき、また、前記第２ワイヤハーネスは、端末にコネクタを接続した状態で前記防水カバーの切欠に側方から挿し入れ、該防水カバーを前記開口の上端開口からスライド挿入することによって該開口に挿通させることができる。従って、第１、第２ワイヤハーネスのいずれも、前記開口へ容易に挿通することができ、ワイヤハーネスの取付作業性を向上させることができる。
【００１１】
前記防水カバーには、切欠の上端縁に沿ってテープ巻き舌片が突設され、第２ワイヤハーネスは該テープ巻き舌片とテープ巻き固定されている。
また、前記防水カバーの上端側にロック部が設けられ、該ロック部を前記ロアカバーに設けられた被ロック部とロック結合されている。
このように防水カバーを確実にロアカバーに固定し、該防水カバーに第２ワイヤハーネスを固定すると、ワイヤハーネスが外部から引っ張られても、引張力に対向でき、電気接続信頼性を高めることができる。
【発明の効果】
【００１２】
上述したように、本発明によれば、ケース本体の下面側に接続される第１ワイヤハーネスはワイヤハーネス挿通用の開口の下方から、ケース本体の上面側に接続される第２ワイヤハーネスは該開口の上方から、それぞれ余長を設けることなく引き出すことができる。かつ、ロアカバーに上下方向に大きく開口させるワイヤハーネス挿通用の開口を、第１、第２ワイヤハーネスとの間に隙間を発生させれること無く、一つの防水カバーで確実かつ簡単に閉鎖することができ、防水性を確保できる。さらに、ケース本体やロアカバーは大型化せず、電気接続箱全体を小型化することができる。
【発明を実施するための最良の形態】
【００１３】
以下、本発明の実施形態を図面を参照して説明する。
図１乃至図５は本発明の第１実施形態に係る電気接続箱１０を示す。該電気接続箱１０は、自動車のエンジンルームの被水領域に配置されるリレーボックスであり、リレーボックス本体からなるケース本体１１と、該ケース本体の下方に被せられるロアカバー１２と、図示していないが、該ロアカバー１２と結合されるアッパーカバーを備えている。
【００１４】
ケース本体１１には、バスバーや該バスバーのタブに接続される中継端子等の内部回路材（図示せず）が収容され、この内部回路材には、図１に示すように、第１ワイヤハーネスＷ１の端末に接続した端子３１を下方から接続される。
また、ケース本体１１の上面側には、リレー３０を搭載するリレー嵌合部１７とともに、第２ワイヤハーネスＷ２の端末に接続されたコネクタ３２を嵌合するコネクタ嵌合部１８を設けている。
【００１５】
前記ロアカバー１２の周壁１２ａには、上端開口１３ａより下方へ延在した長尺なワイヤハーネス挿通用の開口１３を形成している。詳しくは、該開口１３の下端部１３ｂを、ロアカバー１２をケース本体１１に被せた時におけるケース本体１１の下端縁よりも下方に位置させている。この下端部１３ｂに沿って、テープ巻き舌片１６を外側に突設している。
【００１６】
かつ、前記ワイヤハーネス挿通用の開口１３の両側面１３ｃ、１３ｃには、後述の防水カバー２０をスライド挿入させる断面コ字状のガイド溝１４を上端から上下方向に凹設している。また、該開口１３の一側面１３ｃの上端側には、図５にも示すように、被ロック部１５ａを突設している。
【００１７】
前記ワイヤハーネス挿通用の開口１３には防水カバー２０を摺動自在に取り付けている。防水カバー２０は、図４（Ａ）（Ｂ）（Ｃ）にも示すように、上部側に一側縁より切欠２１を設け、切欠２１を挟んで上下両側を上部蓋部２２、下部蓋部２３とし、該上下蓋部２２と２３とを切欠２１と対向側の側板２４で連結している。また、切欠２１の上端縁に沿ってテープ巻き舌片２５を外側に突設している。前記下部蓋部２３の内面側には側壁２６を突設し、下縁を除く三方縁をこの側壁２６と前記側板２４とで囲繞している。前記上部蓋部２２の両側には、ロアカバー１２の開口１３の前記ガイド溝１４にスライド挿入されるガイド部２７を左右に突設している。さらに、上部蓋部２２の上端部には、一端側よりロック部１５ｂを突設している。
【００１８】
次に、ロアカバー１２のワイヤハーネス挿通用の開口１３に第１ワイヤハーネスＷ１、第２ワイヤハーネスＷ２を挿通して防水カバー２０を取り付ける作業を説明する。
【００１９】
まず、図１および図２に示すように、第１ワイヤハーネスＷ１を構成する電線群の端末端子３１をケース本体１１の下面側からケース本体内に形成されたキャビテイ（図示せず）に差し込んで内部回路材と接続する。
ついで、第１ワイヤハーネスＷ１をロアカバー１２のワイヤハーネス挿通用の開口１３の上端開口１３ａから下端部１３ｂへと挿入しながら、ケース本体１１に下方よりロアカバー１２を被せる。
次に、図２に示すように、端末にコネクタ３２を接続した第２ワイヤハーネスＷ２を防水カバー２０の切欠２１に側方開口２１ａから挿入する。
この状態で、図３に示すように、防水カバー２０をロアカバー１２の開口１３の上端開口１３ａからスライド挿入し、図５に示すように、防水カバー２０のロック部１５ｂをロアカバー１２の被ロック部１５ａに係止してロック結合させる。
前記第２ワイヤハーネスＷ２を防水カバー２０のテープ巻き舌片２５にテープＴで巻きつけ固定し、第１ワイヤハーネスＷ１をロアカバー１２のテープ巻き舌片１６にテープＴで巻きつけ固定する。
最後に、第２ワイヤハーネスＷ２の端末のコネクタ３２をケース本体１１のコネクタ嵌合部１８に挿入接続する。
【００２０】
前記構成の電気接続箱１０は、ロアカバー１２のワイヤハーネス挿通用の開口１３に上方からスライド挿入された防水カバー２０の下端部２８が、先に該開口１３に挿通されていた第１ワイヤハーネスＷ１の上部に当接すると共に、第１ワイヤハーネスＷ１と第２ワイヤハーネスＷ２との間の隙間と、第２ワイヤハーネスＷ２より上方の隙間とを、一つの防水カバー２０の下部蓋部２３と上部蓋部２２とで同時に閉鎖することができる。
従って、ケース本体１１の形状やロアカバー１２の深さに関係なく、簡易な構造で安定した防水性を確保することができる。
【００２１】
また、ケース本体１１の下面側から引き出される第１ワイヤハーネスＷ１と上面側から引き出される第２ワイヤハーネスＷ２とを一つのワイヤハーネス挿通用の開口１３から引き出すことができ、しかも、第１ワイヤハーネスＷ１を前記開口１３の下端部１３ｂから、第２ワイヤハーネスＷ２を開口１３の上方から引き出しているため、いずれのワイヤハーネスにも余長を設ける必要がないうえ、ボックス内に迂回スペースを設ける必要もなく、スペース効率が向上し、電気接続箱の小型化が可能となる。
【図面の簡単な説明】
【００２２】
【図１】本発明の第一実施形態に係る電気接続箱の分解斜視図である。
【図２】ケース本体にロアカバーをかぶせた状態を示す斜視図である。
【図３】ロアカバーに防水カバーを取り付けた状態を示す斜視図である。
【図４】防水カバーを示し、（Ａ）は上面図であり、（Ｂ）は裏面図（内面側）であり、（Ｃ）は側面図である。
【図５】図３に示すロアカバーと防水カバーのロック構造を示す拡大断面図である。
【図６】従来例の概略図である。
【図７】他の従来例の図である。
【符号の説明】
【００２３】
１０  電気接続箱
１１  ケース本体
１２  ロアカバー
１３  ワイヤハーネス挿通用開口
２０  防水カバー
２１  切欠
２５  テープ巻き舌片
Ｗ１  第１ワイヤハーネス
Ｗ２  第２ワイヤハーネス
【図１】
2006074893.tif 000003
【図２】
2006074893.tif 000004
【図３】
2006074893.tif 000005
【図４】
2006074893.tif 000006
【図５】
2006074893.tif 000007
【図６】
2006074893.tif 000008
【図７】
2006074893.tif 000009